(57)【要約】【課題】    磁気カードリーダに対して、磁気カードを介さずに情報が入力でき、磁気カードリーダの複数の磁気信号読取ヘッド間でのクロストークの影響を与えることなく省電力化された磁気カードリーダ用アダプタ装置を提供する。【解決手段】    磁気カードリーダの磁気読取ヘッドにより読取可能な磁気信号を発生する磁気信号発生部を有する磁気カードリーダ用アダプタ装置において、磁気信号発生部は、磁気読取ヘッドが当接することにより該磁気読取ヘッドに対応する部分に磁気信号発生させるための信号電流を流す回路を形成し、形成した回路に磁気読取ヘッドにより読取可能な磁気信号を供給する。【選択図】  図２
2005251332.tif 000002
【特許請求の範囲】
【請求項１】
磁気カードリーダの磁気読取ヘッドにより読取可能な磁気信号を発生する磁気信号発生部を有する磁気カードリーダ用アダプタ装置において、
前記磁気信号発生部は、
前記磁気読取ヘッドが当接することにより該磁気読取ヘッドに対応する部分に前記磁気信号を流す回路を形成する磁気信号回路形成手段と、
前記磁気信号回路形成手段で形成された回路に前記磁気読取ヘッドにより読取可能な磁気信号を供給する磁気信号供給手段と
を具備することを特徴とする磁気カードリーダ用アダプタ装置。
【請求項２】
前記磁気信号回路形成手段は、
前記磁気読取ヘッドが当接する部分に対応して第１の電極が形成された第１の可撓性の第１のシート材と、
前記第１のシート材に離間して配設され、前記磁気読取ヘッドが当接する部分に対応して第２の電極が形成された第２のシート材と、
前記第１のシート材と前記第２のシート材との間に介挿された絶縁材と
を具備し、
前記磁気読取ヘッドの当接により前記第１の電極と前記第２の電極とを接続して前記磁気信号供給手段から供給された前記磁気信号を流す回路を形成する
ことを特徴とする請求項１記載の磁気カードリーダ用アダプタ装置。
【請求項３】
前記第１の電極および前記第２の電極のうちの一方は、所定の間隔で櫛歯状の複数の電極を有し、他方は前記磁気読取ヘッドの当接により前記櫛歯状の複数の電極の少なくとも１つと接続される共通電極として形成される
ことを特徴とする請求項２記載の磁気カードリーダ用アダプタ装置。
【請求項４】
前記第１の電極および前記絶縁材の少なくとも一方は、弾性材から形成される
ことを特徴とする請求項２または３記載の磁気カードリーダ用アダプタ装置。
【請求項５】
前記絶縁材は、
前記第１のシート材に形成された第１の電極を前記第２のシート材に形成された第２の電極に臨ませる開口部を有する
ことを特徴とする請求項２乃至４のいずれかに記載の磁気カードリーダ用アダプタ装置。
【請求項６】
前記第１のシート材に形成された第１の電極と前記第２のシート材に形成された第２の電極に対応する位置に設けられ、前記磁気読取ヘッドが当接する前記開口部の幅より狭い幅の凸部
を更に具備することを特徴とする請求項５記載の磁気カードリーダ用アダプタ装置。
【請求項７】
前記磁気読取ヘッドは、
対向して配設された少なくとも２つの磁気読取ヘッドからなり、
前記磁気信号回路形成手段は、
前記対向して配設された少なくとも２つの磁気読取ヘッドに対応してシート状部材の両面に形成され、
前記磁気信号供給手段は、
前記磁気読取ヘッドに対応する部分に形成される回路に対して、互いに干渉しない少なくとも２方向から前記磁気信号を供給する
ことを特徴とする請求項１乃至６記載の磁気カードリーダ用アダプタ装置。
【発明の詳細な説明】
【技術分野】
【０００１】
この発明は、磁気カードリーダ用アダプタ装置に関し、特に、磁気カードリーダに対して、磁気カードを介さずに情報が入力でき、磁気カードリーダの複数の磁気信号読取ヘッド間でのクロストークの影響を与えることなく省電力化された磁気カードリーダ用アダプタ装置に関する。
【背景技術】
【０００２】
近年、磁気カードを介して情報の授受を行う磁気カードシステムから磁気カードと比べてセキュリティーが高く、大容量の情報授受が可能なＩＣカードや携帯電話等のモバイル機器等を介して情報の授受を行うシステムへ移行しつつある。
【０００３】
例えば特許文献１に示されるように、クレジットカード契約者のＩＤを記憶し、パスワード等による本人認証機能を持つ携帯電話によってクレジットカード会社からその携帯電話に電話をかけることにより本人確認を行うようなクレジット決済サービス方法が提案されている。
【０００４】
上記提案のクレジット決済サービス方法は、顧客が購入商品の決済を行う場合に、顧客の携帯電話をクレジット取引端末に接続することにより、クレジットカード会社のホストコンピュータシステムから顧客の携帯電話に本人確認の電話をかけて本人確認するように構成したクレジット決済サービス方法である。
【特許文献１】特開２００３−０３０５５９号公報
【発明の開示】
【発明が解決しようとする課題】
【０００５】
しかしながら、従来の磁気カードを用いた決済サービスシステムや磁気カードシステムは広く普及しており、これら既存のシステムに対してＩＣカードや携帯電話等のモバイル機器等を介して情報授受が行えるような装置や方法の提供が望まれている。
【０００６】
そこで、例えば、ＩＣカードや携帯電話等のモバイル機器に記憶された情報が磁気カードを介することなく既存の磁気カードリーダへ入力可能な磁気カードリーダ用アダプタ装置が提案されている。
【０００７】
この提案の磁気カードリーダ用アダプタ装置は、磁気カードリーダの複数の磁気信号読取ヘッドに対して、それぞれに対応するトラックの磁気信号を発生させる複数の磁気信号発生部を設け、この磁気信号発生部を磁気カードリーダに挿入し、情報に対応したそれぞれの磁気信号を発生させることで磁気カードリーダの複数の磁気信号読取ヘッドへ情報が入力できるように構成したものである。
【０００８】
しかしながら、上記提案の磁気カードリーダ用アダプタ装置は、磁気信号発生部で発生させる磁気信号が磁気カードリーダの磁気信号読取ヘッドの検知範囲よりも広範囲に発生するため不要な電力消費や複数の磁気信号読取ヘッド間でのクロストークの原因となる等の課題が残されている。
【０００９】
そこで、この発明は、既存の磁気カードリーダに対して、磁気カードを介さずに情報が入力でき、複数の磁気信号読取ヘッド間でのクロストークの影響を与えることなく省電力化された磁気カードリーダ用アダプタ装置を提供することを目的とする。
【課題を解決するための手段】
【００１０】
上記目的を達成するため、請求項１の発明は、磁気カードリーダの磁気読取ヘッドにより読取可能な磁気信号を発生する磁気信号発生部を有する磁気カードリーダ用アダプタ装置において、前記磁気信号発生部は、前記磁気読取ヘッドが当接することにより該磁気読取ヘッドに対応する部分に前記磁気信号を流す回路を形成する磁気信号回路形成手段と、前記磁気信号回路形成手段で形成された回路に前記磁気読取ヘッドにより読取可能な磁気信号を供給する磁気信号供給手段とを具備することを特徴とする。
【００１１】
また、請求項２の発明は、請求項１の発明において、前記磁気信号回路形成手段は、前記磁気読取ヘッドが当接する部分に対応して第１の電極が形成された第１の可撓性の第１のシート材と、前記第１のシート材に離間して配設され、前記磁気読取ヘッドが当接する部分に対応して第２の電極が形成された第２のシート材と、前記第１のシート材と前記第２のシート材との間に介挿された絶縁材とを具備し、前記磁気読取ヘッドの当接により前記第１の電極と前記第２の電極とを接続して前記磁気信号供給手段から供給された前記磁気信号を流す回路を形成することを特徴とする。
【００１２】
また、請求項３の発明は、請求項２の発明において、前記第１の電極および前記第２の電極のうちの一方は、所定の間隔で櫛歯状の複数の電極を有し、他方は前記磁気読取ヘッドの当接により前記櫛歯状の複数の電極の少なくとも１つと接続される共通電極として形成されることを特徴とする。
【００１３】
また、請求項４の発明は、請求項２または３の発明において、前記第１の電極および前記絶縁材の少なくとも一方は、弾性材から形成されることを特徴とする。
【００１４】
また、請求項５の発明は、請求項２乃至４のいずれかの発明において、前記絶縁材は、前記第１のシート材に形成された第１の電極を前記第２のシート材に形成された第２の電極に臨ませる開口部を有することを特徴とする。
【００１５】
また、請求項６の発明は、請求項５の発明において、前記第１のシート材に形成された第１の電極と前記第２のシート材に形成された第２の電極に対応する位置に設けられ、前記磁気読取ヘッドが当接する前記開口部の幅より狭い幅の凸部を更に具備することを特徴とする。
【００１６】
また、請求項７の発明は、請求項１乃至６のいずれかの発明において、前記磁気読取ヘッドは、対向して配設された少なくとも２つの磁気読取ヘッドからなり、前記磁気信号回路形成手段は、前記対向して配設された少なくとも２つの磁気読取ヘッドに対応してシート状部材の両面に形成され、前記磁気信号供給手段は、前記磁気読取ヘッドに対応する部分に形成される回路に対して、互いに干渉しない少なくとも２方向から前記磁気信号を供給することを特徴とする。
【発明の効果】
【００１７】
この発明の磁気カードリーダ用アダプタ装置によれば、磁気カードリーダの磁気読取ヘッドにより読取可能な磁気信号を発生する磁気信号発生部を有する磁気カードリーダ用アダプタ装置において、前記磁気信号発生部は、前記磁気読取ヘッドが当接することにより該磁気読取ヘッドに対応する部分に前記磁気信号発生手段から発生された前記磁気信号を流す回路を形成する磁気信号回路形成手段と、前記磁気信号回路形成手段で形成された回路に前記磁気読取ヘッドにより読取可能な磁気信号を供給する磁気信号供給手段とを具備するように構成したので、既存の磁気カードリーダに対して、ＩＣカード、携帯電話等のモバイル機器等に記憶された情報を入力することができる。
【００１８】
また、磁気カードリーダの磁気読取ヘッドの接触面に局所的に信号電流を流して情報を入力するので省電力化を図ることができる。
【００１９】
更に、磁気カードリーダの磁気読取ヘッドの配置条件に対応して信号電流を入力する端子を切り替えて情報を入力するので磁気読取ヘッド間のクロストーク等を回避することができるという効果を奏する。
【発明を実施するための最良の形態】
【００２０】
この発明に係わる磁気カードリーダ用アダプタ装置は、磁気カードリーダ用アダプタ装置を既存の磁気カードリーダに差込み、磁気カードリーダに対してＩＣカード、携帯電話等のモバイル機器に記憶された情報が入力できるようにしたアダプタ装置として用いる磁気カードリーダ用アダプタ装置である。
【実施例１】
【００２１】
図１は、本発明に係わる磁気カードリーダ用アダプタ装置を用いた一実施例の要部の構成を示す図である。
【００２２】
この実施例は、従来のＣＡＴ（＝Credit Authorization Terminal:信用照会）端末を用いた電子決済システムにおいて、ＣＡＴ端末で電子決済する際に用いる既存の磁気カードの代わりに、本発明に係わる磁気カードリーダ用アダプタ装置１を用いて電子決済が可能なように適用した例を示したものである。
【００２３】
図１に示すように、本発明に係わる磁気カードリーダ用アダプタ装置１を用いた電子決済システム１００は、ＣＡＴ端末２と、磁気カードリーダ用アダプタ装置１と、磁気カードリーダ用アダプタ装置１とＲＳ−２３２Ｃ等のケーブル５を介して接続された赤外線通信装置４と、赤外線通信装置４と赤外線を介して情報の送受信が可能な携帯電話６とを備えており、ＣＡＴ端末２の磁気カードリーダ３の差込口３０（以下、「磁気カード挿入口３０」という。）には、通常の磁気カードの代わりに磁気カードリーダ用アダプタ装置１が差込まれている。
【００２４】
なお、磁気カードリーダ用アダプタ装置１は、既存の磁気カードの大きさおよび厚さと略同様であり、磁気カード挿入口３０へ差し込み、引き出しは自在であるが、本実施例では、差し込んだ状態で使用する。
【００２５】
磁気カードを用いた従来の電子決済方法においては、利用客が購入した商品の代金を決済する場合には、利用客の銀行口座やカード番号情報等が記録された磁気カードをＣＡＴ端末２の磁気カード挿入口３０へ所定の方向で差込み、差込んだ磁気カードを所定の方向へ所定の速度で移動させることで磁気カードに記録された情報の磁気信号がＣＡＴ端末２の磁気カードリーダ３によって読み取られ、電子決済処理される。
【００２６】
本実施例の電子決済システム１００においては、利用客が購入した商品の代金を決済する場合には、利用客が携帯電話６を赤外線通信装置４の受信部４０に近づけ、携帯電話６の所定操作を行うことにより、携帯電話６に内蔵された図示せぬＩＣチップに記憶された個人情報が赤外線を介して赤外線通信装置４へ入力され、ケーブル５および磁気カードリーダ用アダプタ装置１を介してＣＡＴ端末２へ入力されて決済処理される。
【００２７】
ここで、既存の磁気カードに記録された情報が磁気カードリーダ３を介してＣＡＴ端末２に入力される動作について簡単に説明する。
【００２８】
一般に、磁気カードは、プラスチック製のカードの表面部もしくは裏面部の所定の位置に磁性塗料を帯状に塗布させ、この磁性塗料の帯（以下、「磁気トラック」という。）に磁気ライタの磁気書込用ヘッドを介して情報に応じた磁界を与えることにより、情報に応じた磁化パターンが磁気トラック上に生成され保磁されている。
【００２９】
このように磁気カードに記録された情報を磁気カードリーダ３が読み取る場合は、磁気カードリーダ３に挿入された磁気カードの移動に伴い、磁気カードの磁気トラックが磁気カードリーダ３の図示せぬ磁気読取ヘッド上を所定の速度で通過することにより、磁気トラック上に保磁された磁界（磁気信号）を磁気読取ヘッドが検知し、検知した磁界のパターン（以下、「磁気信号パターン」という。）を磁気カードの情報として磁気カードリーダ３が読み取る。
【００３０】
ＣＡＴ端末２で用いられる磁気カードの磁気トラックには、例えば磁気カード固有のカード番号やカード所有者の銀行口座情報等が予め記録されており、これらの情報に応じた磁気信号パターンが磁気カードリーダ３によって読み取られることにより決済処理が可能となる。
【００３１】
図１に示した電子決済システム１００においては、従来の磁気カードを介することなく利用客の携帯電話６を介して情報をＣＡＴ端末２へ入力可能なように構成されている。
【００３２】
例えば、携帯電話６は、利用客の銀行口座や個人情報等（以下、「個人情報」という。）を記憶した図示せぬＩＣチップと、既存の電話通信機能とは別に数メートル以内の距離内を赤外線を介して情報授受の通信が可能な赤外線通信機能を備えており、携帯電話６の所定の操作によりＩＣチップに記憶された個人情報が赤外線を介して送信できるように構成されている。
【００３３】
利用客が購入した商品の代金を決済する場合には、利用客は携帯電話６を赤外線通信装置４の受信部４０に近づけ、携帯電話６の所定の操作を行うことにより、ＩＣチップに記憶された個人情報が赤外線を介して赤外線通信装置４へ入力される。
【００３４】
赤外線通信装置４は、数メートル以内の距離内を赤外線を介して情報の送受信が可能な通信装置であり、携帯電話６から赤外線を介して送信された個人情報が赤外線通信装置４に受信され入力されるように構成されている。
【００３５】
赤外線通信装置４に入力された個人情報は、赤外線通信装置４の図示せぬ記憶装置に記憶された変換テーブルＡによって磁気信号の情報に変換されてＲＳ−２３２Ｃのケーブル５を介して磁気カードリーダ用アダプタ装置１へ入力される。
【００３６】
なお、変換テーブルＡは、磁気カードリーダ用アダプタ装置１が携帯電話６から赤外線を介して入力された個人情報に対応した磁気信号が生成可能な変換データがテーブル化されて管理されている。
【００３７】
磁気カードリーダ用アダプタ装置１は、赤外線通信装置４から入力された個人情報に基づいて後述する磁気信号発生部に磁界（磁気信号）を発生させ、磁気信号発生部に発生した磁気信号をＣＡＴ端末２の磁気カードリーダ３が検知して読み取る。
【００３８】
このように、磁気カードリーダ用アダプタ装置１の磁気信号発生部に発生させた個人情報に対応した磁気信号がＣＡＴ端末２の磁気カードリーダ３によって読み取られることで利用客の決済処理が行われる。
【００３９】
ところで、本発明に係わる磁気カードリーダ用アダプタ装置１は、入力された個人情報に応じた磁気信号を発生させることでＣＡＴ端末２の磁気カードリーダ３へ個人情報が入力できるように構成されている。
【００４０】
図２は、図１に示した磁気カードリーダ用アダプタ装置１の要部の構成例を示す構成図である。
【００４１】
図２（ａ）は磁気カードリーダ用アダプタ装置１の概略の平面図であり、図２（ｂ）は磁気カードリーダ用アダプタ装置１の概略の側面図、図２（ｃ）は、磁気カードリーダ用アダプタ装置１を構成する各部材を示す図、図２（ｄ）は、シート材Ａ２１の配線パターンを示す図、図２（ｅ）は、シート材Ｂ２３の配線パターンを示す図である。
【００４２】
図２において、磁気カードリーダ用アダプタ装置１は、既存の磁気カードと略同様な大きさと厚さで成形されており、既存の磁気カードが所定の位置に所定の大きさの磁気トラックを形成しているのと同様に、磁気カードリーダ用アダプタ装置１の所定の位置に、所定の大きさの磁気信号発生部１３（図２（ａ）の破線で囲まれた部分）が配置されている。
【００４３】
すなわち、ＣＡＴ端末２の磁気カードリーダ３の磁気カード挿入口３０へ所定の方向で磁気カードリーダ用アダプタ装置１を挿入すると、磁気カードリーダ３の磁気読取ヘッドと対向するような位置に磁気カードリーダ用アダプタ装置１の磁気信号発生部１３が配置されている。
【００４４】
図２（ａ）に示すように、磁気カードリーダ用アダプタ装置１は、ＲＳ−２３２Ｃのケーブル５を介して磁気カードリーダ用アダプタ装置１と赤外線通信装置４との間の情報を授受するインタフェース部１１と、赤外線通信装置４から入力された個人情報に応じて磁気信号発生部１３へ流す電流の方向を制御するとともに磁気カードリーダ用アダプタ装置１全体を制御する制御部１２と、制御部１２によって制御された電流の方向に応じて磁界を発生させる磁気信号発生部１３を備え、これらの各部が図２（ｂ）に示すような複数の部材上に形成されて複数の層を成してカード状に形成されている。
【００４５】
磁気カードリーダ用アダプタ装置１は、図２（ｂ）及び（ｃ）に示すように、例えば銅箔の配線パターン２１０、２３０がそれぞれ形成されたシート材Ａ２１及びシート材Ｂ２３と、シート材Ａ２１、Ｂ２３との間に介挿された絶縁材２２と、磁気カードリーダ用アダプタ装置１の表面を保護する保護材２０によって構成されており、磁気カードリーダ用アダプタ装置１をＣＡＴ端末２の磁気カード挿入口３０へ挿入することで磁気カードリーダ３の磁気読取ヘッドからの押圧により保護材２０及びシート材Ａ２１が撓み、シート材Ａ２１とシート材Ｂ２３との各配線パターン２１０、２３０が接触して磁気信号発生部１３に回路が形成されるように構成されている。
【００４６】
絶縁材２２は、シート材Ａ２１に形成された配線パターン２１０をシート材Ｂ２３に形成された配線パターン２３０に臨ませ接触可能なように開口部２２０が形成されている。
【００４７】
保護材２０及びシート材Ａ２１は可撓性を有しており、保護材２０は、磁気読取ヘッドと接する面でシート材Ａ２１に形成された配線パターン２１０の位置に絶縁材２２の開口部２２０の幅Ｗより狭い幅Ｗ’の凸状に形状した凸部２００を有している。
【００４８】
また、この凸部２００は、シート材Ａ２１に形成された配線パターン２１０とシート材Ｂ２３に形成された配線パターン２３０との隙間ｔと同等か、もしくは大きい厚みｔ’を有している。
【００４９】
シート材Ａ２１は、図２（ｄ）に示すように所定の間隔で櫛歯状に形成された配線パターン２１０の各電極２１０−１、２１０−２、・・・２１０−ｎ（以下、総称して「２１０−ｎ」という。）を有しており、シート材Ｂ２３は、図２（ｅ）に示すようにシート材Ａ２１の櫛歯状の各電極２１０−ｎと接続可能な共通電極２３０を有している。
【００５０】
なお、シート材Ａ２１及びＢ２３に形成された配線パターン２１０、２３０は、エッチングや導電ペースト印刷、その他の方法によって形成されている。
【００５１】
このように構成された磁気カードリーダ用アダプタ装置１が磁気カードリーダ３の磁気読取ヘッドからの押圧により磁気信号発生部１３に回路を形成する動作について説明する。
【００５２】
図３は、磁気読取ヘッドからの押圧により磁気信号発生部１３に形成される回路についての説明図である。
【００５３】
図３（ａ）は、ＣＡＴ端末２の磁気カード挿入口３０へ挿入前の磁気カードリーダ用アダプタ装置１の概略の側面図を示す図であり、図３（ｂ）は、挿入前の磁気信号発生部１３の電極２１０−ｎと電極２３０の状態を示す斜視図、図３（ｃ）は、挿入後の磁気カードリーダ用アダプタ装置１の概略の側面図、図３（ｄ）は、挿入後の磁気信号発生部１３に形成された回路を示す斜視図である。
【００５４】
図３（ａ）及び（ｂ）に示すように、磁気カード挿入口３０へ挿入前の磁気カードリーダ用アダプタ装置１の磁気信号発生部１３は、シート材Ａ２１、Ｂ２３間に絶縁材２２が介挿されているためシート材Ａ２１の電極２１０−ｎとシート材Ｂ２３の電極２３０とが隙間ｔだけ離間された状態となり回路が形成されていない。
【００５５】
一般的に磁気カードリーダの磁気読取ヘッドは、挿入された磁気カードと接触可能なように磁気カードの挿入方向に対して斜めに配置されており、挿入した磁気カードの磁気トラックと磁気読取ヘッドとが接触可能なように構成されている。
【００５６】
既存の磁気カードと略同等か、あるいは既存の磁気カードより大きな厚みを有し、磁気カードリーダへ挿入可能な磁気カードリーダ用アダプタ装置１を磁気カード挿入口３０へ挿入すると、磁気カードリーダ用アダプタ装置１が磁気読取ヘッドと接触した部分は、図３（ｃ）及び（ｄ）に示すように、磁気カードリーダ用アダプタ装置１の保護材２０に形成された凸部２００が磁気読取ヘッド３１から押圧を受け、この押圧により保護材２０及びシート材Ａ２１が絶縁材２２の開口部２２０側へ撓む。
【００５７】
保護材２０の凸部２００の厚さｔ’は、電極２１０−ｎと電極２３０との隙間ｔと同等か、あるいは隙間ｔよりも大きい厚さを有しているので保護材２０及びシート材Ａ２１が開口部２２０側へ撓むことにより電極２１０−ｎと電極２３０とが接触して回路３００が形成される。
【００５８】
シート材Ａ２１の電極２１０−ｎとシート材Ｂ２３の電極２３０との接触により回路３００が形成された状態で信号電流を流すと、回路３００に流れた信号電流の向きに応じた磁界３０１が発生し、この磁界３０１を磁気カードリーダ３の磁気読取ヘッド３１が検知して読み取る。
【００５９】
図４は、磁気カードリーダ用アダプタ装置１の制御部１２が入力された個人情報に応じて磁気信号発生部１３に形成された回路３００へ磁気信号を発生させる方法を説明するための説明図である。
【００６０】
図４（ａ）および図４（ｂ）は、磁気信号発生部１３に形成された回路３００に流れる電流の方向に応じて発生する磁界を示す図である。
【００６１】
図４を参照しながら携帯電話６から赤外線通信装置４を介して入力された個人情報に応じた磁界（磁気信号）を磁気信号発生部１３に形成された回路に発生させる方法について説明する。
【００６２】
図４（ａ）に示すように、磁気信号発生部１３（一点鎖線で囲まれた部分）には、磁気読取ヘッド３１の押圧によりシート材Ａ２１の櫛歯状の電極２１０−ｎのうちの電極２１０−５とシート材Ｂ２３の共通電極２３０とが接触して回路３００が形成される。
【００６３】
制御部１２は、制御部１２に入力された個人情報に応じて磁気信号発生部１３の回路３００へ流す電流の方向を制御する。
【００６４】
例えば、図４（ａ）に示すように、回路３００に順方向（矢印付実線４０１）の電流を流すと、回路３００の電極２１０−５に流れる電流の向きは実線矢印４０２の向きとなり、電流の向きに応じた磁極の方向（以下、「ＳＮ極」という。）を示す磁界４０３が発生する。
【００６５】
また、図４（ｂ）に示すように、回路３００に逆方向（矢印付実線４０４）の電流を流すと、回路３００の電極２１０−５に流れる電流の向きは実線矢印４０５の向きとなり、電流の向きに応じた磁極の方向（以下、「ＮＳ極」という。）を示す磁界４０６が発生する。
【００６６】
制御部１２に入力された個人情報が例えば「１００１１」とすると、制御部１２は、入力された個人情報「１００１１」に基づいて次のような制御を行い、個人情報「１００１１」に対応した磁気信号（磁界）のパターンを磁気信号発生部１３の回路３００に発生させる。
【００６７】
まず、制御部１２は、入力された個人情報「１００１１」を「１」、「０」、「０」、「１」、「１」の順に分解し、分解した個人情報の「１」、「０」の情報に応じて、例えば、「１」の場合には回路３００の電極２１０−５に発生した磁気信号が、所定の時間の間に「ＳＮ極」から「ＮＳ極」もしくは「ＮＳ極」から「ＳＮ極」へ反転するように制御し、「０」の場合には所定の時間の間に磁気信号が反転しないように制御する。
【００６８】
回路３００に流れる電流は、所定周波数に同期して順方向（図４（ａ）、矢印付実線４０１の向き）と逆方向（図４（ｂ）、矢印付実線４０４の向き）とに交互に流れるように構成されており、回路３００には所定周波数の周期ｔ（ｔ１、ｔ２、ｔ３、ｔ４、ｔ５・・・）毎に順方向と逆方向の電流が流れて、図４（ｃ）に示すような磁気信号パターン４１０が発生する。
【００６９】
図４（ｃ）に示した磁気信号パターン４１０は、横軸ｔを所定周波数の各周期の時間ｔ（ｔ１、ｔ２、ｔ３、ｔ４、ｔ５、・・・）とし、縦軸を横軸ｔの各時間ｔ（ｔ１、ｔ２、ｔ３、ｔ４、ｔ５、・・・）におけるそれぞれの磁気信号（回路３００に発生した磁界の「ＳＮ極」もしくは「ＮＳ極」の極性）の値を示したものである。
【００７０】
図４（ｃ）に示すように、磁気信号パターン４１０は、時間ｔ（ｔ１、ｔ２、ｔ３、ｔ４、ｔ５・・・）毎に回路３００へ流れる電流の向きが順方向から逆方向もしくは逆方向から順方向へ交互に変化するので、時間ｔが「０からｔ１」の間は「ＳＮ極」、「ｔ１からｔ２」の間は「ＮＳ極」、「ｔ２からｔ３」の間は「ＳＮ極」、「ｔ３からｔ４」の間は「ＮＳ極」、「ｔ４からｔ５」の間は「ＳＮ極」・・・というような磁気信号が回路３００の電極２１０−５に発生する。
【００７１】
この磁気信号パターン４１０の各磁気信号が所定時間の間に「ＳＮ極」から「ＮＳ極」もしくは「ＮＳ極」から「ＳＮ極」のいずれかへ反転した場合を「１」値、所定時間の間に磁気信号が反転しない場合を「０」値の情報とするような、いわゆるＦ２Ｆ方式の制御方法に対応させてみると、磁気信号パターン４１０の時間ｔが「０からｔ１」の間は、磁気信号が「ＳＮ極」から「ＮＳ極」もしくは「ＮＳ極」から「ＳＮ極」のいずれかへ反転するような磁気信号が発生していないので「０」値という情報を示すこととなる。
【００７２】
また、時間ｔが「ｔ１からｔ２」の間は、磁気信号が「ＳＮ極」から「ＮＳ極」もしくは「ＮＳ極」から「ＳＮ極」のいずれかへ反転するような磁気信号が発生していないので「０」値という情報を示すこととなる。
【００７３】
同様に時間ｔが「ｔ２からｔ３」の間、「ｔ３からｔ４」の間、「ｔ４からｔ５」の間のそれぞれにおいても、磁気信号が「ＳＮ極」から「ＮＳ極」もしくは「ＮＳ極」から「ＳＮ極」のいずれかへ反転するような磁気信号が発生していないので、それぞれ「０」、「０」、「０」という各値の情報を示すこととなる。  
そこで、個人情報「１００１１」の値に対応する磁気信号パターンを発生させるために、制御部１２は、磁気信号パターン４１０の「０」、「０」、「０」、「０」、「０」の順の各値を「１」、「０」、「０」、「１」、「１」の順の各値へ変調するような制御を行う。
【００７４】
例えば、制御部１２は、磁気信号パターン４１０の時間ｔが「０からｔ１」の間と、「ｔ３からｔ４」の間および「ｔ４からｔ５」の間のそれぞれにおいて、回路３００の電極２１０−５に発生する磁気信号（磁界）が「ＳＮ極」から「ＮＳ極」もしくは「ＮＳ極」から「ＳＮ極」のいずれかへ反転するように回路３００へ流れる電流の方向を順方向から逆方向もしくは逆方向から順方向へ方向制御する。
【００７５】
このように制御することによって、回路３００の電極２１０−５には、個人情報「１００１１」に対応した図４（ｄ）に示すような磁気信号パターン４２０が発生する。
【００７６】
すなわち、磁気信号パターン４２０によると、時間ｔが「０からｔ１」の間の磁気信号は、「０からｔ１」の所定時間の間に「ＳＮ極」から「ＮＳ極」へ反転しているので「１」値という情報を示している。
【００７７】
また、時間ｔが「ｔ１からｔ２」の間の磁気信号は、所定時間「ｔ１からｔ２」の間、「ＳＮ極」の状態なので「０」値という情報を示している。
【００７８】
同様に時間ｔが「ｔ２からｔ３」の間、「ｔ３からｔ４」の間、「ｔ４からｔ５」の間のそれぞれにおいて、各磁気信号は、それぞれ「０」値、「１」値、「１」値という情報を示している。
【００７９】
磁気カードリーダ用アダプタ装置１の磁気信号発生部１３に形成された回路３００に発生した磁気信号パターン４２０は、ＣＡＴ端末２の磁気カードリーダ３の磁気読取ヘッド３１によって検知され、検知された磁気信号パターン４２０のうちの、所定時間の間に「ＳＮ極」から「ＮＳ極」もしくは「ＮＳ極」から「ＳＮ極」のいずれかへ反転した磁気信号を、例えば、磁気信号４２０の時間ｔが「０からｔ１」の間と、「ｔ３からｔ４」の間および「ｔ４からｔ５」の間をそれぞれ「１」値として読み取り、所定時間の間に磁気信号が反転しない磁気信号を、例えば、磁気信号４２０の時間ｔが「ｔ１からｔ２」の間と「ｔ２からｔ３」の間をそれぞれ「０」値の情報として読み取る。
【００８０】
このように制御部１２が入力された個人情報に応じて磁気信号発生部１３に形成された回路３００に流す電流の方向制御を行うことで、個人情報に対応した磁気信号を磁気信号発生部１３に発生させ、発生した磁気信号を
発生した磁気信号をＣＡＴ端末２の磁気カードリーダ３が個人情報として読み取りを入力することができる。
【００８１】
図５は、磁気読取ヘッド３１からの押圧により磁気信号発生部１３に回路を形成可能とするように磁気カードリーダ用アダプタ装置１を構成する各部材の構造例を示した図である。
【００８２】
図５（ａ）は、磁気カードリーダ用アダプタ装置１の保護材２０に弾性構造を持たせた構成Ａの一例であり、図５（ｂ）は、保護材２０に弾性構造を持たせ、かつ保護材２０に凸部を形成した構成Ｂの一例、図５（ｃ）は、絶縁材２２に弾性構造を持たせた構成Ｃの一例をそれぞれ示している。
【００８３】
図５（ａ）に示すように、構成Ａは、磁気カードリーダ用アダプタ装置１の保護材２０に弾性構造を持たせ、シート材Ａ２１が可撓性を有するようにして構成した例である。
【００８４】
このように構成された磁気カードリーダ用アダプタ装置１を磁気カード挿入口３０へ挿入すると磁気読取ヘッド３１からの押圧により、保護材２０とシート材Ａ２１が絶縁材２２の開口部２２０側へ撓み、シート材Ａ２１の電極２１０−ｎのうちの磁気読取ヘッド３１から押圧を受けている電極とシート材Ｂ２３の電極２３０とが接触して回路が形成される。
【００８５】
そして、磁気読取ヘッド３１からの押圧が取り除かれると保護材２０の弾性により撓んだ保護材２０及びシート材Ａ２１は元の状態位置に復元し、シート材Ａ２１の電極２１０−ｎのうちのシート材Ｂ２３の電極２３０と接触していた電極が電極２３０から離間する。
【００８６】
図５（ｂ）に示すように、構成Ｂは、磁気カードリーダ用アダプタ装置１の保護材２０に弾性構造を持たせるとともに磁気読取ヘッド３１との接触面に凸状の凸部２００を形成し、シート材Ａ２１が可撓性を有するように構成した例である。
【００８７】
このように構成された磁気カードリーダ用アダプタ装置１を磁気カード挿入口３０へ挿入すると磁気読取ヘッド３１の幅ＨＷが絶縁材２２の開口部２２０より大きい場合であっても磁気読取ヘッド３１からの押圧が凸部２００を介してシート材Ａ２１を開口部２２０側へ撓ませることにより、シート材Ａ２１の電極２１０−ｎのうちの磁気読取ヘッド３１から押圧を受けている電極とシート材Ｂ２３の電極２３０とが接触して回路が形成される。
【００８８】
そして、磁気読取ヘッド３１からの押圧が取り除かれると保護材２０の弾性により撓んだ保護材２０の凸部２００及びシート材Ａ２１は、元の状態位置に復元し、シート材Ａ２１の電極２１０−ｎのうちのシート材Ｂ２３の電極２３０と接触していた電極が電極２３０から離間する。
【００８９】
図５（ｃ）に示すように、構成Ｃは、磁気カードリーダ用アダプタ装置１の絶縁材２２に弾性構造を持たせ、保護材２０及びシート材Ａ２１が可撓性を有するように構成した例である。
【００９０】
このように構成された磁気カードリーダ用アダプタ装置１を磁気カード挿入口３０へ挿入すると磁気読取ヘッド３１からの押圧により、絶縁材２２が縮むことでシート材Ａ２１の電極２１０−ｎのうちの磁気読取ヘッド３１から押圧を受けている電極とシート材Ｂ２３の電極２３０とが接触して回路が形成される。
【００９１】
そして、磁気読取ヘッド３１からの押圧が取り除かれると絶縁材２２の弾性により縮んだ絶縁材２２が元の状態の高さに復元し、シート材Ａ２１の電極２１０−ｎのうちのシート材Ｂ２３の電極２３０と接触していた電極が電極２３０から離間する。
【００９２】
このように、磁気カードリーダ用アダプタ装置１を構成する保護材２０、シート材Ａ２１、絶縁材２２及びシート材Ｂ２３のうちの少なくとも一つは弾性構造を持つような構成とすることで磁気読取ヘッド３１からの押圧により押圧を受けた部分のシート材Ａ２１及びシート材Ｂ２３の電極が接触して最小電力で動作する回路が形成される。
【００９３】
図６は、磁気カードリーダ用アダプタ装置１を構成するシート材Ａ２１に形成された配線パターンとシート材Ｂ２３に形成された配線パターンの一例を示す図である。
【００９４】
図６（ａ）乃至（ｃ）に示したシート材Ａ２１及びシート材Ｂ２３の各配線パターンは、シート材Ａ２１とシート材Ｂ２３が接触した際に、所定の間隔で複数形成された電極のうちの接触した電極だけに電流が流れるような回路が形成可能なように構成したものである。
【００９５】
また、図６（ｄ）乃至（ｅ）に示したシート材Ａ２１及びシート材Ｂ２３の各配線パターンは、シート材Ａ２１とシート材Ｂ２３が接触した際に、シート材Ａ２１とシート材Ｂ２３とがいずれの部分で接触しても電流が流れるような回路が形成可能なように構成したものである。
【００９６】
例えば、図６（ａ）は、シート材Ａ２１に所定の間隔で銅箔の複数の接続電極を形成し、シート材Ｂ２３には、シート材Ａ２１に形成された複数の接続電極の両端に接続される共通電極を形成して、シート材Ａ２１とシート材Ｂ２３とが接触した際に、接触したシート材Ａ２１とシート材Ｂ２３の各電極間のみに電流が流れるように構成されている。
【００９７】
また、図６（ｂ）は、シート材Ａ２１に所定の間隔で櫛歯状の複数の電極を形成し、シート材Ｂ２３にもシート材Ａ２１に形成された複数の櫛歯状の電極と接続可能なように櫛歯状の複数の電極を形成して、シート材Ａ２１とシート材Ｂ２３とが接触した際に、接触したシート材Ａ２１とシート材Ｂ２３の各電極間のみに電流が流れるように構成されている。
【００９８】
また、図６（ｃ）は、シート材Ａ２１の両端に対向して所定の間隔で櫛歯状の複数の電極を離間して形成し、シート材Ｂ２３は、シート材Ａ２１の両端に対向してそれぞれ形成された櫛歯状の複数の電極がそれぞれ接続可能なように複数の接続電極を形成して、シート材Ａ２１とシート材Ｂ２３とが接触した際に、接触したシート材Ａ２１とシート材Ｂ２３の各電極間のみに電流が流れるように構成されている。
【００９９】
このように、図６（ａ）乃至（ｃ）に示したシート材Ａ２１及びシート材Ｂ２３の各配線パターンが接触して形成される回路は、接触したシート材Ａ２１とシート材Ｂ２３の各電極間のみに電流が流れるように構成されているので消費電力を小さくすることが可能となる。
【０１００】
また、図６（ｄ）及び（ｅ）は、シート材Ａ２１に所定の面積を有する銅箔を形成し、シート材Ｂ２３には、シート材Ａ２１に形成された所定の面積を有する銅箔に接続される共通電極を形成して、シート材Ａ２１とシート材Ｂ２３とが接触すると電極に電流が流れるように構成されている。
【０１０１】
このように、（ｄ）及び（ｅ）に示したシート材Ａ２１及びシート材Ｂ２３の各配線パターンが接触して形成される回路は、シート材Ａ２１とシート材Ｂ２３が接触した際に、シート材Ａ２１とシート材Ｂ２３とがいずれの部分で接触しても電流が流れるように構成されているので磁気読取ヘッド３１への情報入力が、より確実なものとなる。  なお、図６（ａ）乃至（ｅ）に示したシート材Ａ２１及びシート材Ｂ２３の各配線パターンは、一例であり、これらの配線パターンに限定されるものではない。
【０１０２】
図７は、複数の磁気トラックに対応した磁気カードリーダの磁気読取ヘッドに対応して図２に示したような磁気カードリーダ用アダプタ装置の表裏の両面に複数の磁気信号発生部を配置し、各磁気読取ヘッドからの押圧により複数の回路を形成可能とするように構成した磁気カードリーダ用アダプタ装置である。
【０１０３】
なお、この磁気カードリーダ用アダプタ装置７０は、図１に示した電子決済システム１００において、ＣＡＴ端末２の磁気カードリーダ３が複数の磁気トラックに対応した磁気カードリーダであるものとして説明する。
【０１０４】
図７において、図７（ａ）及び（ｂ）は、磁気カードリーダ用アダプタ装置７０の表面部（図７（ａ））と裏面部（図７（ｂ））の要部の平面図であり、図７（ｃ）は磁気カードリーダ用アダプタ装置７０の要部の側面図、図７（ｄ）は、磁気カードリーダ用アダプタ装置７０を構成する各部材を示す図である。
【０１０５】
図７（ａ）及び（ｂ）に示すように、磁気カードリーダ用アダプタ装置７０は、図２に示した磁気カードリーダ用アダプタ装置１と同様にＲＳ−２３２Ｃのケーブル５を介して磁気カードリーダ用アダプタ装置７０と赤外線通信装置４との間の情報を授受するインタフェース部７１と、赤外線通信装置４から入力された個人情報に応じて磁気信号発生部７３、７５及び７６へ流す電流の方向を制御するとともに磁気カードリーダ用アダプタ装置７０全体を制御する制御部７２と、制御部７２によって制御された電流の方向に応じて磁界を発生させる磁気信号発生部７３、７５及び７６を備えている。
【０１０６】
磁気カードリーダ用アダプタ装置７０は、図７（ｃ）に示すように、配線パターンがそれぞれ形成されたシート材Ｃ８１、Ｄ８３及びＥ８５と、シート材Ｃ８１、Ｄ８３との間に介挿された絶縁材８２と、シート材Ｄ８３、Ｅ８５との間に介挿された絶縁材８４と、磁気カードリーダ用アダプタ装置７０の表裏の各面を保護する保護材８０、８６によって構成されており、磁気カードリーダ用アダプタ装置７０をＣＡＴ端末２の磁気カード挿入口３０へ挿入することで複数の磁気読取ヘッドを有する磁気カードリーダ３の各磁気読取ヘッドからの押圧によりシート材Ｃ８１とシート材Ｄ８３との各配線パターンが接触して磁気信号発生部７３に後述する回路７３０が形成され、シート材Ｄ８３とシート材Ｅ８５との各配線パターンが接触して磁気信号発生部７５及び７６に後述する回路７５０、７６０が形成されるように構成されている。
【０１０７】
なお、シート材Ｄ８３は、配線パターンが両面に形成されており、シート材Ｄ８３のシート材Ｃ８１側の面に形成された配線パターンとシート材Ｃ８３に形成された配線パターンとが接触して磁気信号発生部７３の回路７３０を形成し、シート材Ｄ８３のシート材Ｅ８５側の面に形成された配線パターンとシート材Ｅ８５に形成された配線パターンとが接触して磁気信号発生部７５及び７６の回路７５０、７６０を形成する。
【０１０８】
絶縁材８２には、シート材Ｃ８１に形成された配線パターンをシート材Ｄ８３に形成された配線パターンに臨ませ接触可能なように開口部８２０が形成され、絶縁材８４には、シート材Ｅ８５に形成された配線パターンをシート材Ｄ８３に形成された配線パターンに臨ませ接触可能なように開口部８４０が形成されている。
【０１０９】
保護材８０、８６及びシート材Ｃ８１及びＥ８５は可撓性を有しており、保護材８０は、磁気読取ヘッドと接する面でシート材Ｃ８１に形成された配線パターンの位置に絶縁材８２の開口部８２０の幅Ｗ１より狭い幅Ｗ１’の凸状に形状した凸部８００を有しており、保護材８６は、磁気読取ヘッドと接する面でシート材Ｅ８５に形成された配線パターンの位置に絶縁材８４の開口部８４０の幅Ｗ２より狭い幅Ｗ２’の凸状に形状した凸部８６０を有している。
【０１１０】
また、この凸部８００及び８６０は、シート材Ｃ８１に形成された配線パターンとシート材Ｄ８３に形成された配線パターンとの隙間ｔ及びシート材Ｄ８３に形成された配線パターンとシート材Ｅ８５に形成された配線パターンとの隙間ｔと同等か、もしくは大きい厚みｔ’をそれぞれ有している。
【０１１１】
また、シート材Ｃ８１、Ｄ８３及びＥ８５は、図８に示すような形状の配線パターンの電極を有している。
【０１１２】
図８は、シート材Ｃ８１、Ｄ８３及びＥ８５に形成された各配線パターンの一例を示す図である。
【０１１３】
図８（ａ）は、シート材Ｃ８１に形成された配線パターンの一例を示す図であり、図８（ｂ）は、シート材Ｄ８３のシート材Ｃ８１側の面に形成された配線パターンの一例を示す図、図８（ｃ）は、シート材Ｅ８５に形成された配線パターンの一例を示す図、図８（ｄ）は、シート材Ｄ８３のシート材Ｅ８５側の面に形成された配線パターンの一例を示す図、である。
【０１１４】
図８（ａ）に示すように、シート材Ｃ８１には、所定の間隔で櫛歯状の配線パターン８１０が形成され、シート材Ｄ８３のシート材Ｃ８１側の面には、図８（ｂ）に示すようにＣ８１の櫛歯状の各電極と接続可能な共通電極の配線パターン８３０ａが形成されている。
【０１１５】
また、シート材Ｅ８５には、図８（ｃ）に示すように、シート材Ｃ８１の配線パターンと同様な所定の間隔で櫛歯状の配線パターン８５０が複数形成され、シート材Ｄ８３のシート材Ｅ８５側の面には、図８（ｄ）に示すようにシート材Ｅ８５の櫛歯状の各電極と接続可能な共通電極の配線パターン８３０ｂが複数の櫛歯状の配線パターン８５０に対応して形成されている。
【０１１６】
なお、各シート材Ｃ８１、Ｄ８３及びＥ８５に形成された各配線パターン８１０、８３０ａ、８３０ｂ及び８５０は、エッチングや導電ペースト印刷、その他の方法によって形成されている。
【０１１７】
このように構成された磁気カードリーダ用アダプタ装置７０が磁気カードリーダ３の複数の磁気読取ヘッドからの押圧により磁気信号発生部７３、７５及び７６に形成する回路について説明する。
【０１１８】
図９は、複数の磁気読取ヘッドからの押圧により磁気信号発生部７３、７５及び７６に形成される回路についての説明図である。
【０１１９】
図９（ａ）は、ＣＡＴ端末２の磁気カード挿入口３０へ挿入前の磁気カードリーダ用アダプタ装置７０の概略の側面図を示す図であり、図９（ｂ）は、挿入後の磁気カードリーダ用アダプタ装置７０の概略の側面図、図９（ｃ）及び（ｄ）は、挿入後の磁気信号発生部７３、７５及び７６に形成された回路を示す図である。
【０１２０】
図９（ａ）及び（ｂ）に示すように、磁気カード挿入口３０へ挿入前の磁気カードリーダ用アダプタ装置７０の磁気信号発生部７３、７５及び７６は、シート材Ｃ８１、Ｄ８３間及びシート材Ｄ８３、Ｅ８５間に絶縁材８２、８４が介挿されているためシート材Ｃ８１の各電極とシート材Ｄ８３の電極８３０ａ及びシート材Ｄ８３の電極８３０ｂとシート材Ｅ８５の各電極とが接触しないように離間されているため回路は形成されない。
【０１２１】
磁気カードリーダ用アダプタ装置７０を磁気カード挿入口３０へ挿入すると、図９（ｃ）及び（ｄ）に示すように、磁気カードリーダ用アダプタ装置７０の保護材８０、８６のそれぞれに形成された凸部８００、８６０が磁気読取ヘッド９１、９２及び９３からの押圧を受け、この押圧により保護材８０、８６及びシート材Ｃ８１、Ｅ８５が絶縁材８２、８４の開口部８２０、８４０へ撓む。
【０１２２】
保護材８０、８６の各凸部８００、８６０の厚さｔ’は、電極８１０と電極８３０ａ及び電極８５０と電極８３０ｂとの隙間ｔと同等か、あるいは大きい厚さを有するので保護材８０、８６及びシート材Ｃ８１、Ｅ８３が撓むことにより電極８１０と電極８３０ａとが接触して回路７３０が磁気信号発生部７３に形成され、電極８５０と電極８３０ｂとが接触して回路７５０が磁気信号発生部７５に形成され、回路７６０が磁気信号発生部７６にそれぞれ形成される。
【０１２３】
このように各磁気信号発生部７３、７５及び７６に形成された回路７３０、７５０及び７６０に信号電流を流すと、各回路７３０、７５０及び７６０には、信号電流に応じた磁界が発生し、この磁界を磁気カードリーダ３の各磁気読取ヘッド９１、９２、９３が検知してそれぞれの情報を読み取る。
【０１２４】
ところで、この磁気カードリーダ用アダプタ装置７０は、各磁気信号発生部７３、７５及び７６に形成された回路７３０、７５０及び７６０に信号電流を流す際に、各回路７３０、７５０及び７６０で発生した磁気信号が各磁気読取ヘッド９１、９２、９３間でのクロストークの影響を回避するように各回路７３０、７５０及び７６０の電流信号の左右どちらからでも入力可能なように入力端子が両端に設けられている。
【０１２５】
例えば図９（ｃ）及び（ｄ）に示すように、回路７３０に信号電流を流す場合は、磁気読取ヘッド９２及び９３へのクロストークまたはコンタミネーションを回避するために７３０の左側（図中の電流の流れの方向９０１）の入力端子から信号電流を流すように制御部７２が図示せぬ切り替えスイッチ等を切り替え制御する。
【０１２６】
また、図９（ｄ）に示すように、回路７５０及び回路７６０にそれぞれ信号電流を流す場合は、磁気読取ヘッド９１へのクロストークまたはコンタミネーションを回避するために、回路７５０の右側（図中の電流の流れの方向９０２及び９０３）の入力端子から信号電流を流すように制御部７２が図示せぬ切り替えスイッチ等を切り替え制御する。
【０１２７】
このように回路７３０、７５０、７６０に流す信号電流の経路を制御することで、各回路７３０、７５０及び７６０で発生した磁気信号が各磁気読取ヘッド９１、９２及び９３間でのクロストークの影響を回避することができる。
【０１２８】
このように、赤外線通信装置４から入力された個人情報は、インタフェース部７１を介して制御部７２へ入力され、制御部７２が個人情報に応じて磁気信号発生部７３、７５及び７６に形成された回路７３０、７５０及び７６０へ流す電流の方向を各磁気読取ヘッド９１、９２及び９３間でのクロストークの影響を回避するように制御する。
【０１２９】
制御部７２が個人情報に応じて磁気信号発生部７３、７５及び７６に形成された各回路７３０、７５０及び７６０へ流す電流の方向を制御するので各磁気信号発生部７３、７５及び７６に形成された回路７３０、７５０及び７６０には個人情報に対応した磁界が発生する。
【０１３０】
このように各磁気信号発生部７３、７５及び７６に形成された各回路７３０、７５０及び７６０に発生した磁界は、図９（ｃ）及び（ｄ）に示すように磁気カードリーダ３の磁気読取ヘッド９１、９２及び９３にそれぞれ検知され、各磁気読取ヘッド９１、９２、９３が検知した磁気信号に基づいて磁気カードリーダ３が個人情報を読み取る。
【０１３１】
なお、制御部７２は、磁気信号発生部７３、７５及び７６に形成された各回路７３０、７５０及び７６０へ流す電流の方向をそれぞれ独立して制御できるので、それぞれに同一の磁気信号を発生させることも可能であるし、それぞれに別々の磁気信号を発生させることも可能である。
【０１３２】
また、個人情報に応じた磁界を磁気信号発生部７３、７５及び７６に形成された各回路７３０、７５０及び７６０で発生させる方法については、図４に示した動作と同様であるので詳細説明は省略する。
【０１３３】
このような構成とすることにより、複数の磁気トラックに対応した磁気カードリーダの磁気読取ヘッドに対応して各磁気読取ヘッドからの押圧により複数の回路を形成し、形成した回路に流す電流の経路を切り替え選択して磁気信号を発生させるので複数の磁気信号読取ヘッド間でのクロストークの影響を回避することができる。
【０１３４】
また、各磁気信号発生部に形成された各回路は、各磁気読取ヘッドが磁気カードリーダ用アダプタ装置に接触した部分の形成されるので、消費電力を抑えることができる。
【０１３５】
なお、本実施例においては、磁気カードリーダ用アダプタ装置をカード状に成形された例で示したが、磁気カードリーダ用アダプタ装置の形状は特に限定するものではなく、例えば磁気カードリーダ用アダプタ装置の磁気信号発生部が磁気カードリーダに挿入可能とし、屈曲自在の任意の形状としてもよい。
【図面の簡単な説明】
【０１３６】
【図１】本発明に係わる磁気カードリーダ用アダプタ装置を用いた一実施例の構成図
【図２】本発明に係わる磁気カードリーダ用アダプタ装置１の要部の構成図
【図３】磁気読取ヘッドからの押圧により磁気信号発生部に形成される回路を示す図
【図４】磁気信号発生部に形成された回路へ信号電流を流して磁気信号を発生させる方法を示す図
【図５】磁気カードリーダ用アダプタ装置１を構成する各層の構成例を示す図
【図６】シート材Ａ２１及びＢ○に形成された配線パターンの一例を示す図
【図７】複数の磁気トラックに対応した磁気カードリーダ用アダプタ装置の構成図
【図８】シート材Ｃ、Ｄ及びＥに形成された各配線パターンの一例を示す図
【図９】複数の磁気読取ヘッドからの押圧により磁気信号発生部７３、７５及び７６に形成される回路を示す図
【符号の説明】
【０１３７】
１、７０  磁気カードリーダ用アダプタ装置
２      ＣＡＴ（＝Credit Authorization Terminal:信用照会）端末
３      磁気カードリーダ（ＣＡＴ端末）
４      赤外線通信装置
５      ＲＳ２３２-Ｃ
６      携帯電話
１１、７１  インタフェース部
１２、７２  制御部
１３、７３、７５，７６  磁気信号発生部
２０、８０、８６  保護材
２１    シート材Ａ
２２、８２、８４  絶縁材
２３    シート材Ｂ
３１、９１、９２、９３  磁気読取ヘッド
２００、８００、８６０  凸部（保護材２０）
２１０  配線パターン（シート材Ａ）
２１０−ｎ  各電極（配線パターン２１０）
２２０  開口部（絶縁材２２）
２３０  配線パターン（シート材Ｂ）
３００  回路（配線パターン２１０、配線パターン２３０）
８１０  配線パターン（シート材Ｃ）
８２０  開口部（絶縁材８２）
８３０ａ、８３０ｂ  配線パターン（シート材Ｄ）
８４０  開口部（絶縁材８４）
８５０    配線パターン（シート材Ｅ）
【図１】
2005251332.tif 000003
【図２】
2005251332.tif 000004
【図３】
2005251332.tif 000005
【図４】
2005251332.tif 000006
【図５】
2005251332.tif 000007
【図６】
2005251332.tif 000008
【図７】
2005251332.tif 000009
【図８】
2005251332.tif 000010
【図９】
2005251332.tif 000011